(57)【特許請求の範囲】
【請求項１】
サービスを利用するために移譲不可能な権利を備えた人の非接触制御するのに使用するデータキャリヤであって、前記データキャリヤは、ブレスレット（１）に一体化され、前記ブレスレット（１）が開かれた後には必ず破壊されて永久に役に立たないようにされることを特徴とするデータキャリヤ。
【請求項２】
マイクロチップ（６）とアンテナ（８）とを有し、少なくとも前記アンテナ（８）は前記ブレスレット（１）の剛性部分に配置されることを特徴とする請求項１記載のデータキャリヤ。
【請求項３】
前記マイクロチップ（６）は、前記アンテナ（８）を含む回路板（７）に接続されることを特徴とする請求項２記載のデータキャリヤ。
【請求項４】
前記ブレスレット（１）の前記剛性部分は、ブレスレット閉鎖部分（２）によって形成されることを特徴とする請求項２または３に記載のデータキャリヤ。
【請求項５】
前記回路板（７）は、前記一方の閉鎖部分（２）に少なくとも１つの窪み（９）および／または突起物（１０）を有し、これらは、２つの閉鎖部分（２、３）が結合するときに、他方の閉鎖部分（３）にある少なくとも１つの突起物（１０）または窪みにとげ状に協働することを特徴とする請求項３または４に記載のデータキャリヤ。
【請求項６】
前記チップ（６）は、前記ブレスレット（１）のまわりに延在する伝導経路（１２）に接続され、損傷を受けたときにデータキャリヤを作動しないようにすることを特徴とする請求項１〜５のいずれか１項に記載のデータキャリヤ。
【請求項７】
前記ブレスレット（１）を手首の周りに嵌めるための装着装置を有し、該装置には、損傷を受けずには開けることができない２つの閉鎖部分（２，３）が設けられることを特徴とする請求項１〜６のいずれか１項に記載のデータキャリヤ。
【発明の詳細な説明】
【０００１】
【発明の属する技術分野】
本発明は、特定のサービスを受けるにあたり、移譲不可能な権利を有する人を非接触制御するために使用するデータキャリヤに関する。
【０００２】
【従来の技術】
制御装置へ挿入しなければならないデータキャリヤに比較すると、比較的大きなデータ伝送距離にわたって電波範囲に書込読取ユニットで相互作用する非接触データキャリヤは、たとえばカードの形態であって衣服に留められるかまたは腕時計に一体化されて、手を用いずに使用することができるという利点を有する。したがって、これらは、たとえば、書込読取ユニットがデータキャリヤから対応するデータを受け取るときに、書込読取ユニットによって起動されるかまたは人を阻止しない回転ゲート等の、通常、人を一人だけ選抜する装置を有するスキーリフトおよびケーブルカーの入場制御装置で使用されることが好ましい。
【０００３】
移譲不可能なデータキャリヤが他の人に渡されるのを防ぐために、データキャリヤにユーザの写真を設けることができる。しかし、精巧な写真は、より長い期間の効力を備えたより高価なデータキャリヤ（たとえば、冬季スポーツエリアのウィークリー・スキーパス）に引き合うのみである。より低い価値のサービス（たとえばデイ・スキーパス用のデータキャリヤ）は、依然として不適切に他人に渡されうる。この結果として、リフトおよびケーブルカーのオペレータはかなりの損害を受ける。
【０００４】
ドイツ特許第ＤＥ８４  ２８  ６１０  Ｕ１号には、精神病院の患者等の監察下にある人用に、特別なツールでのみ開けることができるブレスレットが開示されている。すなわち、ブレスレットが取り外されるときに、データキャリヤは破壊されない。ブレスレットは、患者が病院の出口で電子バリヤを通ると信号を誘発する一体化磁石ストライプを有する。
【０００５】
【発明が解決しようとする課題】
本発明の課題は、たとえば短期間に、たとえばスキーエリアの乗客輸送設備等の１つまたはそれ以上のサービスを利用するために、不適切に他人に渡すことができない、移譲不可能な個人的権利を備えた比較的簡単に構造された非接触データキャリヤを提供することである。
【０００６】
【課題を解決するための手段】
この課題は、本発明にしたがって、ブレスレットが開けられたときに、非接触データキャリヤが永久に役に立たなくなる、すなわち破壊されるように、非接触データキャリヤをブレスレットに一体化することによって、達成される。高周波範囲（１０4〜３．１０9Ｈｚ）の入場制御装置の書込読取ユニットで相互作用するデータキャリヤは、したがって作動しなくなり、一人だけ選抜する装置は起動されないままであるかまたは阻止される。これは、移譲不可能なデータキャリヤが不適切に他人に渡されるのを確実に防ぐ。
【０００７】
【発明の実施の態様】
データキャリヤは、別の方法で役に立たなくなることもある。たとえば、アンテナおよび／またはマイクロチップが役に立たなくなるか、または、アンテナをマイクロチップに接続するものがあるとすればその回路板が役に立たなくなる可能性がある。マイクロチップは、特に、一体化アンテナを備えたマイクロチップが使用される場合は、役に立たなくならなければならない。
【０００８】
アンテナは、一定の操作周波数に対して正確に調節されなければならない。したがって、アンテナ形状は、変動してはならない。本発明によると、アンテナはしたがって、ブレスレットの剛性部分、特に、ブレスレットクロージャの部分内に配置されることが好ましい。
【０００９】
同一の理由のため、アンテナはできるだけ短いライン、たとえば、回路板を経由して接続される。
【００１０】
【実施例】
下記において、本発明は、図面を参照して、さらに詳細に説明される。図１、２によると、一部のみが示されるブレスレット１は２つの閉鎖部分２、３を有する。一方の閉鎖部分２は平らなハウジング４によって形成され、他方の部分３は舌部から形成される。
【００１１】
ブレスレット１はハウジング４の一方の端から離れて延在する一方、他方の端ではスロット５を有し、ブレスレット１が閉じるときにスロット５の中に舌部３が挿入される。
【００１２】
挿入された舌部３を受け取るためのキャビティ１１のそばに、ハウジング４は回路板７に結合されたマイクロチップ６を含み、同時にアンテナコイル８が回路板７に接続される。チップ６は回路板７の凹み１１内に配置される。アンテナコイル８は、回路板７の周縁に沿って延在することができる。
【００１３】
回路板７は窪み９を有し、これは、舌部３がハウジング４内に挿入されるときに、舌部３のとげ状突起物１０によって係合される。代わりに、突起物は回路板９に、窪みは舌部３に設けることもでき、または、窪みを回路板９および舌部３に設けることもでき、これらは、舌部３の挿入方向とは反対の方向にそれに応じて配置された突起物によって係合される。
【００１４】
舌部３をハウジング４から引き出してブレスレット１を開けると、これが回路板７、アンテナ８および／またはチップ６を損傷し、データキャリヤが作動しなくなる。
【００１５】
図３による実施態様は、実質的に、ブレスレット１に一体化される導体ループ１２（点線で示される）が一方の閉鎖部分２から他方の部分へブレスレット１に沿って延在し、回路板７を経由してチップ６に接続されることのみが、図１、２による実施態様とは異なる。
【００１６】
導体ループ１２は、たとえばチップ６の出力を経由してそのプロセッサに接続されることができる。導体ループ１２が切断されると、チップ６としたがってデータキャリヤとは作動しなくなる。
【００１７】
図３による実施態様において、データキャリヤは、このようにして、ブレスレット１がクロージャ２、３の外部で不適切に切断され、別の人に渡されて、ブレスレット１が、切断された場所でたとえば接着テープで一緒に接合されるのを防ぐ。
【００１８】
ブレスレット１を特定の人の手首に嵌め、そのため手から落ちないようにするために、ブレスレット装着装置をさらに有することができ、この装置は、開けることができないか、または、たとえば拡張マンドレル、リベットの力によって、またはケーブルタイでのみ、開けることができる。
【００１９】
上記ブレスレット装着装置は、データキャリヤを永久に役に立たなくする、すなわちこれを破壊することによってのみ、開くように設計されることが好ましい。
【００２０】
たとえば、ハウジング４および回路板７には、内腔１４を設けることができ、舌部３および／またはブレスレット１の対応する端には、図１の点線によって示されるように、一方が他方の後ろにあるように配置された開口１５を設けることができる。舌部３またはブレスレット１の端をスロット５に挿入することによって、且つ任意にハウジングの他方の端で対応するスロットに挿入することによって、開口１５が作られ、これは特定の手首周辺に対応し、回路板７またはハウジング４の内腔１４に一致し、リベット（図示せず）を導入することによって、ハウジング４および回路板７を舌部３またはブレスレット１の端に分離不能に接続する。
【００２１】
リベットは、電気伝導性であるように設計することができ、それによって、データキャリヤが機能するために必要な接点（図示せず）を閉じ、たとえば、アンテナ８の中断を形成し、または、図３に関連して説明されるように、導体ループ１２とチップ６の出力との間の接点を閉じる。
【００２２】
代わりに、たとえば、２つの分離不能な相互接続可能な部分を具備するリベットを使用することができ、これは、一方の側および他方の側からハウジング４内に挿入され、それによって相互に分離不能に係止する。また、たとえば、ハウジング４に一方の側のみに対応する内腔を設けることができ、その中にボタンが導入されて、回路板７に接続された受取手段で分離不能に係止する。
【００２３】
図４に示されたブレスレット装着装置の変形例によると、ブレスレット１の一方の端には、のこ歯１６に係止する少なくとも１つに突起物に協働するのこ歯１６を備えたケーブルタイ様の、たとえば、拡張マンドレル１７が設けられている。これは、のこ歯１６に向かう回路板７の側に配置され、のこ歯１６に向かってばね荷重される。拡張マンドレル１７は、たとえば回路板７に噛み合う形状によって接続されるボード１８上に設けられてもよい。回路板７の代わりに、マンドレル１７または他の突起物が、アンテナ８、チップ６および／または伝導経路１２に接続することができる。
【００２４】
ブレスレットを無理に開けたときにデータキャリヤを永久に役に立たなくするために、ブレスレットは、たとえば、伝導経路１２の領域に定格破壊点を有することができる。
【００２５】
本発明のデータキャリヤを備えたブレスレット１は、たとえばスキーヤー自身等のブレスレット１を装着している人によって開けられ取り外されることが可能である。しかし、ブレスレット１を取り外すと、本発明のデータキャリヤは永久に役に立たなくなる。
【図面の簡単な説明】
【図１】  第１の実施態様によって、閉鎖部分の上部断続した、ブレスレット閉鎖具の２つの部分の斜視図である。
【図２】  図１の線ＩＩ−ＩＩに沿った断面図である。
【図３】  同様に一方の閉鎖部分の上部を破断した、別の実施態様によるブレスレット閉鎖具の２つの部分の平面図である。
【図４】  閉鎖具のさらに別の実施態様の断面図である。
【図１】
0004340009.tif 000002
【図２】
0004340009.tif 000003
【図３】
0004340009.tif 000004
【図４】
0004340009.tif 000005